(57)【要約】【目的】構成が簡単で、保護シートの抜き取りが容易で、しかも抜き忘れを回避でき、プリンタが高価になることもない積層プリント用紙梱包体及びプリンタの用紙カセットを提供する。【構成】プリント面を揃えて積層されたプリント用紙１の積層体１０に、積層端のプリント面を保護する保護シート２が重合され、全体を包装紙で包んでなる積層プリント用紙梱包体５において、上記保護シートは、プリンタにセットしたときに該プリンタに給紙されるのを防ぐ冗長部２ｂを備えるようにしたものである。【選択図】図１
2007284176.tif 000002
【特許請求の範囲】
【請求項１】
プリント面を揃えて積層されたプリント用紙の積層体に、積層端のプリント面を保護する保護シートが重合され、全体を包装紙で包んでなる積層プリント用紙梱包体において、上記保護シートは、プリンタに給紙されるのを防ぐ冗長部を備えていることを特徴とする積層プリント用紙梱包体。
【請求項２】
上記冗長部は、上記保護シートにおける上記プリント用紙のプリント面を保護している主面端部から折曲され、上記積層体の積層面部分に伸びる延出片からなることを特徴とする請求項１記載の積層プリント用紙梱包体。
【請求項３】
上記延出片には、上記保護シートの除去を促す注意喚起表示が設けられていることを特徴とする請求項２記載の積層プリント用紙梱包体。
【請求項４】
上記延出片の折曲部は、上記包装紙が開梱されたときに上記積層面部分から起立できる弾性を有していることを特徴とする請求項２または請求項３記載の積層プリント用紙梱包体。
【請求項５】
上記冗長部は、上記保護シートにおける上記プリント用紙のプリント面を保護している主面端部から折曲され、上記積層体の反給紙方向に位置する積層面部分を覆うように延出された第１折曲片と、この第１折曲片の延出方向端部からさらに折曲されて上記積層体の背面側に伸びるように延出された第２折曲片からなることを特徴とする請求項１記載の積層プリント用紙梱包体。
【請求項６】
上記保護シートは、上記プリント用紙のプリント面を保護している主面が上記プリント用紙の給紙方向に直交する方向の幅よりも幅広に形成され、該主面の給紙方向中央部両端部が上記積層体の積層方向側面部を覆うように折曲されてなり、上記冗長部は、該保護シートの幅広部からなることを特徴とする請求項１記載の積層プリント用紙梱包体。
【請求項７】
側方枠の内側に、積層されたプリント用紙を収容するプリンタの用紙カセットにおいて、上記側方枠は、収容するプリント用紙の上面にプリント面を保護するための保護シートが重合され、該保護シートの幅がプリント用紙の幅よりも幅広のときは、該保護シートを上記側方枠の上端面で保持すると共に、プリント用紙の搬送方向所定部に給紙防止用の段部からなる保護シートストッパーが形成されてなることを特徴とするプリンタの用紙カセット。
【発明の詳細な説明】
【技術分野】
【０００１】
この発明は積層されたプリント用紙のプリント面に保護シートを設けて梱包した積層プリント用紙梱包体及びプリンタの用紙カセットに関するものである。
【背景技術】
【０００２】
従来の技術として、給紙カセットに収納されていた全ての感熱記録紙が給送された後、保護シートがクランプ位置に向かって給送され、クランプ位置では保護シートの先端部がホームポジション検出センサによって検出され、プラテンドラムの表面にクランプされた後、プラテンドラムが回転され、保護シートが記録位置に到達し、記録が開始される直前に、ホームポジション検出センサにより保護シートの判別マークが検出される。判別マークが検出されると、クランパは開放状態になるとともに、プラテンドラムが回転され、保護シートはプリントされることなく排出されるようにしたものがある（例えば、特許文献１参照。）。
【０００３】
【特許文献１】特開平７−６８９３０号公報（第１頁、図１）
【発明の開示】
【発明が解決しようとする課題】
【０００４】
上記のような従来の技術においては、保護シートがプリントされることなく排出できる効果が得られるが、判別マークの検出手段を設ける必要があるなどプリンタの構成が複雑となるという課題があった。
また、感熱紙束の一番上にセットされた保護シートを包装袋から取り出し、用紙カセットに入れた後で、用紙カセットの給紙口から保護シートを抜き取る方法では、使用者が保護シートを抜き忘れたときには、保護シートに印画してしまい、インクシートを無駄にしてしまうという問題があった。
【０００５】
この発明は上記のような従来技術の課題を解消するためになされたもので、構成が簡単で、保護シートの抜き取りが容易で、しかも抜き忘れを回避できる積層プリント用紙梱包体及びプリンタの用紙カセットを提供することを目的としている。
【課題を解決するための手段】
【０００６】
この発明は、プリント面を揃えて積層されたプリント用紙の積層体に、積層端のプリント面を保護する保護シートが重合され、全体を包装紙で包んでなる積層プリント用紙梱包体において、上記保護シートは、プリンタに給紙されるのを防ぐ冗長部を備えるようにしたものである。
【発明の効果】
【０００７】
この発明においては、保護シート自体に、プリンタにセットしたときに該プリンタに給紙されるのを防ぐ冗長部を備えたことにより、保護シートを取り除くことの喚起が確実となり、除去も容易で給紙ミスを防止出来る。
【発明を実施するための最良の形態】
【０００８】
実施の形態１．
図１〜図７はこの発明の実施の形態１による積層プリント用紙梱包体を概念的に説明するもので、図１は積層プリント用紙梱包体の包装紙を透視して示す斜視図、図２は積層端面の梱包を解いた状態を示す斜視図、図３は包装紙を解いた状態を示す斜視図、図４は積層されたプリント用紙がそのまま用紙カセットに収容された状態を示す斜視図、図５は用紙カセットから保護シートを引き出す状況を示す斜視図、図６は用紙カセットをプリンタにセットした状態を示す斜視図、図７は用紙カセットからプリント用紙がプリンタに給紙される状況を模式的に示す斜視図である。なお、各図を通じて同一符号は同一又は相当部分を示すものとする。
【０００９】
図において、感熱紙などのプリント用紙１は、プリント面を例えば上方向に揃えて所要枚数、例えば数十枚〜数百枚等適宜な単位で束ねられて積層体１０が形成され、その上面に、プリント面を保護するための保護シート２が重合されている。保護シート２は、プリント用紙１と同サイズに形成されたプリント面を保護する主面２ａと、この主面２ａ端部から折曲され、上記積層体１０の反給紙方向に位置する積層面部分に伸びるように設けられたプリント用紙１よりも幅の狭い延出片からなる冗長部２ｂとからなっており、冗長部２ｂの表面には、保護シート２を引き抜くように促す矢印や絵文字等からなる注意喚起表示３が印字されている。保護シート２の主面２ａと冗長部２ｂとの折り目２ｃは包装紙４を解いて全開放したときに冗長部２ｂを上方向に復元する弾性力を有している。
【００１０】
また、プリント用紙１を数十枚〜数百枚等適宜な単位で束ねられた積層体１０の流通段階においては、包装紙４で積層体１０を覆って梱包し、積層プリント用紙梱包体５を構成している。使用時は、積層プリント用紙梱包体５の包装紙４の封じ目４ａを開いた後、包装紙４を全開状態にしてプリント用紙１を数十枚〜数百枚等適宜な単位で束ねられた積層体１０と保護シート２との重合状態で給紙カセット６に収容し、蓋６ａを被せた状態にする。
この状態の給紙カセット６は蓋６ａと前面枠６ｂとの間に隙間６ｃが形成されるので、冗長部２ｂが隙間６ｃから突出する。
この給紙カセット６をプリンタ７の前面操作部７ａ側に設けられた開口部に挿入して装着する。
【００１１】
次に、上記のように構成されたプリント用紙１を数十枚〜数百枚等適宜な単位で束ねられた積層体１０の動作について説明する。上述のように、プリンタ７に装着された給紙カセット６にはプリント用紙１を数十枚〜数百枚等適宜な単位で束ねられた積層体１０と保護シート２との重合状態で収容され、保護シート２の冗長部２ｂが隙間６ｃから使用者に向かって突出している。
この冗長部２ｂに注意喚起表示（矢印）３が表示されており、この矢印方向に従って冗長部２ｂを引き出すと保護シート２だけを容易に抜き取ることができる。その後、図７に示すようにプリント用紙１が矢印Ｂ方向にプリンタ７の給紙機構（図示せず）により給紙される。
【００１２】
以上のように、プリント用紙１のプリント面を保護する保護シート２の主面２ａの端部に折曲げられた冗長部２ｂとこの冗長部２ｂに注意喚起表示３を設けたことにより、使用者に明確に分かるので保護シート２の抜き忘れ防止ができるとともに、給紙ミスを防止することができる。
【００１３】
実施の形態２．
図８はこの発明の実施の形態２による積層プリント用紙梱包体の包装紙を除去した状態を示す斜視図、図９は保護シートをしたまま用紙カセットに収容した場合の動作を模式的に示す断面図である。図８に示すように、保護シート２は主面２ａが実施の形態１と同様にプリント用紙１と同サイズで、反給紙方向側の端部が角部２ｄから積層体１０の積層面部分を覆うように延出された第１折曲片２ｅと、この第１折曲片２ｅの延出方向の角部２ｆからさらに上記積層体１０を巻き込むように折曲されて上記積層体１０の底面に伸びる第２折曲片２ｇで構成している。
プリンタ７に装着したときの給紙ローラ７１との位置関係は図９のように保護シート２がプリント用紙１の奥まで達している。
【００１４】
上記のように構成された積層体１０においては、第１折曲片２ｅと第２折曲片２ｇとで積層体１０の底面を巻き込むように設けていることにより、万一保護シート２を外さないで用紙カセット６に装着された状態のままでプリンタ７を動作した場合は、積層体１０の自重が図９の矢印Ｃに示すように第２折曲片２ｇを押さえつけるため、プリンタ７の給紙ローラ７１の矢印Ｄ方向の吸引力に打ち勝ち、保護シート２の給紙を防ぐことが出来る。このため、給紙エラーとなって、無駄に印刷されることがない。なお、保護シート２の主面２ａの上面に適宜注意喚起表示を設けることは勿論好ましい。
【００１５】
実施の形態３．
図１０〜図１２はこの発明の実施の形態３による積層プリント用紙梱包体及びプリンタの用紙カセットを模式的に説明するもので、図１０は積層体上面に保護シートを載せた状態を示す斜視図、図１１はプリンタの用紙カセットを模式的に示す斜視図、図１２は保護シートと用紙カセットの関係を示す斜視図である。図に示すように、保護シート２は主面２ａａの幅Ｗをプリント用紙１の幅より一回り程度大きくし、長手方向中央部両側部に所定の切れ目を入れて下方向に折曲された幅規正部２ｈが設けられており、該幅規正部２ｈによって積層体１０が横方向にずれたり移動したりしないように規制されている。
【００１６】
また、積層体１０を収容する給紙カセット６は、図１１に示す矢印Ｅ方向に回動する開閉扉６ｄとこの開閉扉６ｄと対向する奥行き側で側方枠６ｅの中央より奥側の上面に保護シート２の主面２ａａの先端部２ａｂを係止する段部を形成したストッパー６ｆとで構成している。
【００１７】
上記のように構成された積層体１０においては、使用者が保護シート２を取り外さずに
保護シート２の幅規正部２ｈで規正された積層体１０を給紙カセット６の開閉扉６ｄ側から挿入していく。この時、プリント用紙１より幅広の保護シート２の主面２ａａの先端部２ａｂが給紙カセット６の側方枠６ｅに設けられたストッパー６ｆに係止し、保護シート２を開閉扉６ｄ側に突出させる。
これにより、保護シート２を容易に抜き取ることができる。また、抜き忘れてもストッパー６ｆにより、保護シート２がプリンタ７の給紙ローラ７１から離れているので給紙されることがない。
【００１８】
また、図１２に示すように保護シート２の主面２ａａに注意喚起表示３を設けることは言うまでもない。さらに、幅規正部２ｈは１組だけでなく複数組設けてもよい。
なお、上記実施の形態ではプリント用紙が感熱紙の場合について説明したが、感熱紙に限定されないことは言うまでもない。例えば、熱転写用の描画紙、写真印刷用紙、複写用紙などでも同様の効果が期待できる。
【図面の簡単な説明】
【００１９】
【図１】この発明の実施の形態１による積層プリント用紙梱包体を、包装紙を透視して示す斜視図。
【図２】図１に示す梱包体の積層端面の梱包を解いた状態を示す斜視図。
【図３】図１に示す包装紙を解いた状態を示す斜視図。
【図４】図１に示す積層されたプリント用紙がそのまま給紙カセットに収容された状態を示す斜視図。
【図５】図４の給紙カセットから保護シートを引き出す状況を示す斜視図。
【図６】実施の形態１の給紙カセットをプリンタにセットした状態を示す斜視図。
【図７】図６に示す給紙カセットからプリント用紙がプリンタに給紙される状況を模式的に示す斜視図。
【図８】この発明の実施の形態２による積層プリント用紙梱包体の包装紙を除去した状態を示す斜視図。
【図９】図８に示す保護シートをしたまま給紙カセットに収容した場合の動作を模式的に示す断面図。
【図１０】この発明の実施の形態３による積層プリント用紙梱包体の積層体上面に保護シートを載せた状態を示す斜視図。
【図１１】実施の形態３によるプリンタの用紙カセットを模式的に示す斜視図。
【図１２】実施の形態３による保護シートと用紙カセットの関係を示す斜視図。
【符号の説明】
【００２０】
１  プリント用紙、  １０  積層体、  ２  保護シート、  ２ａ、２ａａ  主面、  ２ａｂ  冗長部（幅広部）、  ２ｂ  冗長部（延出片）、  ２ｃ  折り目、  ２ｄ  角部、  ２ｅ  第１折曲片（冗長部）、  ２ｆ  端部、  ２ｇ  第２折曲片（冗長部）、  ２ｈ  幅規正部、  ３  注意喚起表示、  ４  包装紙、  ４ａ  封じ目、  ５  積層プリント用紙梱包体、  ６  給紙カセット、  ６ａ  蓋、  ６ｂ  前面枠、  ６ｃ  隙間、  ６ｄ  開閉扉、  ６ｅ  側方枠、  ６ｆ  保護シートストッパー、  ７  プリンタ、  ７ａ  前面操作部、  ７１  給紙ローラ。
【図１】
2007284176.tif 000003
【図２】
2007284176.tif 000004
【図３】
2007284176.tif 000005
【図４】
2007284176.tif 000006
【図５】
2007284176.tif 000007
【図６】
2007284176.tif 000008
【図７】
2007284176.tif 000009
【図８】
2007284176.tif 000010
【図９】
2007284176.tif 000011
【図１０】
2007284176.tif 000012
【図１１】
2007284176.tif 000013
【図１２】
2007284176.tif 000014